(57)【要約】  【目的】  筆記具へのインキ補充装置における、インキの蒸発及び、濃度上昇インキの補充による筆記具の筆記カスレ等の問題を抑制する。  【構成】  自由状態のインキを直接収納したインキタンクと、このインキタンク内のインキに直接又は間接的に筆記具のペン先を接続するためのペン先挿入口と、インキタンク内への空気流通孔の開口部を有する筆記具へのインキ補充装置であって、前記インキタンクと前記空気流通孔の開口部との間に、少なくとも表面を撥インキ性とし、インキの流通は遮断するが気体は流通可能なフィルター部材を介在させた筆記具へのインキ補充装置とする。【選択図】        図１
2009255512.tif 000002
【特許請求の範囲】
【請求項１】
筆記具のペン先に対する挿入孔を有し、容器内に収容するインキに直接又はインキ浸透部材を介してペン先を接触させて筆記具内にインキを浸透充填させる筆記具のインキ補充容器において、筆記具へのインキ移動に伴う容器内への空気流通路に、少なくとも表面を撥インキ性とし、インキの流通は遮断するが気体は流通可能なフィルター部材を介在させた筆記具へのインキ補充容器。
【発明の詳細な説明】
【技術分野】
【０００１】
本発明は、筆記具のペン先に対する挿入孔を有し、容器内に収容するインキに直接又はインキ浸透部材を介してペン先を接触させて筆記具内にインキを浸透充填させる筆記具のインキ補充容器に関する。
【背景技術】
【０００２】
筆記消費によってインキが減少した筆記具にインキを補充するものとして、特許文献１に、筆記具のペン先をインキ浴に直接浸漬して接続し、ペン先の毛細管力などのインキ吸引力によってインキを吸い上げるようにしたものが開示されている。
【特許文献１】特開２００６−１４２７２１号公報
【発明の開示】
【発明が解決しようとする課題】
【０００３】
しかしながら、特許文献１に記載の発明のようなインキ補充装置では、筆記具のインキ吸引力によってインキを補充しているため、少なくとも、インキ補充時においては、このインキ吸引力の妨げを防止するようにインキタンク内と大気が、キャップ開放や空気連通孔などにより連通している。即ち、インキタンク内のインキが筆記具へ補充されると、インキタンク内が負圧状態にならないよう、補充されたインキと同量の空気をインキタンク内へ取り込む必要がある。そのため、キャップ閉塞などによってインキ非補充時におけるインキの蒸発は抑制できたとしても、インキ補充時におけるインキの蒸発によるインキ補充装置内のインキの減少や、溶剤分の蒸発によって濃度上昇インキが補充された筆記具の筆記カスレなどの問題点があった。特に、インキタンク内のインキがアルコールなど揮発性の所謂油性インキと呼ばれるものである場合、このインキの蒸発、インキを補充した筆記具の筆記カスレの問題が顕著に生じるものであった。
【課題を解決するための手段】
【０００４】
本発明は、筆記具のペン先に対する挿入孔を有し、容器内に収容するインキに直接又はインキ浸透部材を介してペン先を接触させて筆記具内にインキを浸透充填させる筆記具のインキ補充容器において、筆記具へのインキ移動に伴う容器内への空気流通路に、少なくとも表面を撥インキ性とし、インキの流通は遮断するが気体は流通可能なフィルター部材を介在させた筆記具へのインキ補充容器を要旨とする。
【発明の効果】
【０００５】
気体の流通が可能なフィルター部材であるため、インキ補充時における、インキタンク内への大気からの気体流入が確保されつつ、フィルター部材が撥インキ性であるため、インキタンク内でのインキ溶剤の気体分子に対しては、フィルター部材の表面における親和性は極めて乏しく、気体のフィルター部材の通過が著しく抑制され、インキの蒸発及び、濃度上昇インキの補充による筆記具の筆記カスレ等の問題を抑制し得る。
【発明を実施するための最良の形態】
【０００６】
インキ補充容器は、金属や、ポリプロピレン、ポリエチレン、環状ポリオレフィン、ポリエチレンテレフタレート、ポリアミド、ポリエチレンナフタレート、ポリブチレンテレフタレート、ポリアセタール、ポリカーボネート、ポリスチレン、エチレン・ビニルアルコール共重合体、ポリメタクリレートなどの合成樹脂が例示でき、中でも、内部のインキ透過などによるインキ減量性、価格、成形性、インキの主媒体である水やイソプロピルアルコールなどとの溶解、変形、膨潤などの反応性、更には内部のインキ消費状況が視認可能な透明性などを考慮すると、ポリプロピレンやポリエチレンが好適に使用できる。合成樹脂の成形法としては、ブロー成形、射出成形などが適宜利用できる。
【０００７】
補充用のインキとしては、例えば、水を主溶剤とした水性インキやイソプロピルアルコール、エタノール、キシレンなどの有機溶剤を主溶剤とした油性インキなどを適宜使用することができる。
特に、筆記具のペン先として、繊維収束体を使用する場合など、の毛細管力などのインキ吸引力によるインキの補充を考慮すると、１００ｍＰａ・ｓ以下（Ｂ型粘度計Ｎｏ．３ローター、６０ｒｐｍ、２５℃）などといった比較的低粘度のものが良好である。
【０００８】
フィルター部材としては、大気より供給する空気が流通可能であると共に、全体若しくは少なくとも大気側表面がインキの流通を遮断する撥インキ性であればよい。例えば、ポリエチレン、ウレタン、ポリテトラフルオロエチレンなどの合成樹脂に、シリコーン系またはフッ素系の添加剤、粉末、樹脂を練り込んだものを、発泡や溶出、延伸加工などによって連通多孔質化したものや、連通多孔を形成した後に、シリコーン系またはフッ素系の添加剤により撥インキ処理を施したものなどが挙げられる。
孔径としては、筆記具へのインキの補充に応じてインキタンク内へ空気が流通可能としなければならないので、筆記具内へのインキの補充能力などによって適宜設定されるが、一般的に筆記具のペン先からの毛細管力などによるインキ吸引力を考慮すれば、孔径が３．０μｍ以下であることが好ましい。
また、フィルター部材の大きさはインキタンクの仕様に応じて適宜設定されるものであるが、取り付け方法やコスト等を考慮すれば、０．５ｍｍ以下の薄膜状のフィルター部材とすることが好ましい。更に、インキタンクと空気流通孔の開口部との間へのフィルター部材の介在方法としては、接着、二色成形、熱溶着、超音波溶着、振動溶着、溶剤溶着、挟持部材による嵌着、螺合などが例示できるが、経時的耐久性、異材質間の接合性、作業性、コスト等を考慮すると、空気流通孔の端面へ楔状に瞬間的に溶融固化して接合させる、超音波溶着が好適である。
【０００９】
本発明のインキ補充容器に使用できる筆記具としては、少なくとも筆記具へインキを補充する際に、ペン先から筆記具内部へインキを吸引する吸引力が生じるものであれば特に限定されず使用可能である。繊維収束体などからなるペン先や筆記具内部のインキ収容部分をインキ吸蔵体とし、筆記具自身にインキ吸引力を持たせたものや、吸引機などを用いて、インキ補充時に筆記具内部を吸引可能としたものであってもよい。
【実施例】
【００１０】
以下、図面に基づき一例について説明する。
図１及び図１のＩ部拡大図である図２に示したものは、ポリプロピレン樹脂製の容器本体１の内部に、エタノールを主媒体とし、粘度を２．９ｍＰａ・ｓ（Ｂ型粘度計Ｎｏ．３ローター、６０ｒｐｍ、２５℃）に調整した油性顔料のインキ２が自由状態で直接収容され、装置本体１の上部開口部には、筆記具３のペン先３ａを挿入する挿入口１ａを備えるインキ補充装置の一例である。
【００１１】
筆記具３のペン先３ａを挿入する挿入口１ａには、筆記具３が定位置に挿入されるように段部１ｂと、装置本体１内を筆記具３の挿入によって、大気に対して閉塞するよう筆記具３の先端部分が周状に当接する周状凸部１ｃが設けられている。
また、挿入口１ａの側方には、インキ２の補充時における、インキ２の減少に伴う装置本体１内の負圧化を抑制するための大気の取り込み口としての空気流通孔１ｄを設けている。更に、挿入口１ａ及び空気流通孔１ｄの側方部には、螺合部１ｅが設けられており、非使用時に、キャップ（図示せず）を螺合部１ｅに螺合して、挿入口１ａ及び空気流通孔１ｄを被覆して保管可能としている。
【００１２】
容器本体１内の底部には、挿入口１ａより挿入した筆記具３のペン先３ａが接触すると共に、ペン先の接触に応じて変形可能なポリエチレン製の発泡体よりなる誘導部材４が、インキ２に浸漬して配置されている。ペン先３ａが直接インキ２へ浸漬するようなしてもよいが、この誘導部材４を配置することによって、インキ２の補充に伴って、インキ２の界面が変動しても、ペン先３ａとインキ２との接触が途切れることがない。即ち、装置本体１内のインキ２を使い切るまで、インキ２が、ペン先３ａへ供給されるようなしている。
本例では、ポリエチレンテレフタレート製の繊維収束体のペン先３ａと、ポリエチレン製の発泡体である誘導部材４を用いたが、誘導部材４としては、インキ２に対して、溶解、変形、膨潤などの反応を生じないものであり、ペン先３ａとの接触に対して、ペン先３ａの形状を損なわず、インキ２を誘導可能とするものであるならば、特に本例のものに限定されるものではなく、ポリウレタン製の発泡体や、ポリアミド繊維、ポリアクリロニトリル繊維などからなる繊維収束体や焼結体などによりなしてもよい。
【００１３】
図１のＩ部拡大図である図２に示すように、空気流通孔１ｄの開口部には、フィルター部材５が嵌められている。具体的には、超音波ホーン（図示なし）を当てることにより溶融した固定部１ｆがフィルター部材５を貫通して固化し楔状に接合する超音波溶着によって気密固定されている。フィルター部材５は、大気などに存在する空気は通過可能であるが、インキ２に対しては通過し得ないように処理されている。このため、インキ２が気化しても、そもそもインキ２の溶剤分である気体の分子に対しては、フィルター部材５の表面における親和性は極めて乏しく、フィルター部材５を容易に通過できない。したがって、インキ２の補充時における、インキ２の蒸発は抑制されることになる。また、このインキ２の蒸発の抑制は、装置本体１内のインキ２の濃度上昇を抑制することにも繋がり、インキ２を補充した筆記具３を筆記した際の筆記カスレなどの懸念が払拭される。
【００１４】
図３及び図３のＩＩ部拡大図である図４に基づき他の例について説明する。
図３に示したものは、図１のインキ補充装置に設けられたフィルター部材５の大気側である容器本体１の内側に栓部材６が嵌着された例である。図４に示す通り、栓部材６の外側に螺旋状の溝があり、容器本体１と栓部材６との間に通気路６ａが形成されている。通気路６ａの一方の開口部６ｂを大気側に開口し、他方の開口部６ｃをインキ側に開口し、通気路６ａを通して大気とインキ側が連通している。フィルター部材５から大気側へわずかに通過したインキ２の気体分子を、通気路６ａの長さにより、更に抑えることができ、インキ２の蒸発は極力抑制されることになる。このインキ２の蒸発の抑制は、装置本体１内のインキ２の濃度上昇を抑制することにも繋がり、インキ２を補充した筆記具３を筆記した際の筆記カスレなどの懸念が更に払拭される。
【図面の簡単な説明】
【００１５】
【図１】一例を示す縦断面図
【図２】図１の例のＩ部拡大縦断面図
【図３】他の例を示す縦断面図
【図４】図３の例のＩＩ部拡大縦断面図
【符号の説明】
【００１６】
１  容器本体
１ａ  挿入口
１ｂ  段部
１ｃ  周状凸部
１ｄ  空気流通孔
１ｅ  螺合部
１ｆ  固定部
２  インキ
３  筆記具
３ａ  ペン先
４  誘導部材
５  フィルター部材
６  栓部材
６ａ  通気路
６ｂ  開口部
６ｃ  開口部
【図１】
2009255512.tif 000003
【図２】
2009255512.tif 000004
【図３】
2009255512.tif 000005
【図４】
2009255512.tif 000006